(57)【要約】      （修正有）【課題】小さい表示画面であっても、簡易にドキュメントの目次編集が可能な、タッチパネル操作方式の目次編集方法を提供する。【解決手段】一覧形式の目次画面に表示する目次表示手段と、ドキュメントファイルの所定数のページを、ページ一覧画面に表示するページ一覧表示手段と、上記目次表示手段で表示された目次画面においてページ番号欄を選択した場合に、上記ページ一覧画面に表示を切り替えるページ一覧画面切替手段と、上記ページ一覧画面において、指若しくはタッチペンによって所定のページを選択した場合に、当該ページのページ番号を保存する選択ページ番号保存手段と、上記選択ページ番号保存手段によりページ番号を保存した後に、表示画面を上記目次画面に切り替える目次画面切替手段と、上記選択ページ番号保存手段により保存されたページ番号を、目次画面上において選択したページ番号欄に反映するページ番号反映手段を備えた構成とする。【選択図】図１
2012063861.tif 000002
【特許請求の範囲】
【請求項１】
タッチパネル操作方式の携帯端末におけるドキュメントファイルの目次編集方法であって、
複数の見出し欄と上記見出しに対応するページ番号欄とを一覧形式の目次画面に表示する目次表示手段と、
上記ドキュメントファイルの所定数のページを、ページ一覧画面に表示するページ一覧表示手段と、
上記目次表示手段で表示された目次画面においてページ番号欄を選択した場合に、上記ページ一覧画面に表示を切り替えるページ一覧画面切替手段と、
上記ページ一覧画面において、指若しくはタッチペンによって所定のページを選択した場合に、当該ページのページ番号を保存する選択ページ番号保存手段と、
上記選択ページ番号保存手段によりページ番号を保存した後に、表示画面を上記目次画面に切り替える目次画面切替手段と、
上記選択ページ番号保存手段により保存された選択ページのページ番号を、目次画面上において選択したページ番号欄に反映するページ番号反映手段を備えることを特徴とするドキュメントファイルの目次編集方法。
【請求項２】
上記目次画面において、任意の見出し欄を指またはタッチペンによって選択した場合に、選択した見出し欄に所定の文字を入力しうる見出し入力手段を備えることを特徴とする請求項１記載のドキュメントファイルの目次編集方法。
【請求項３】
上記ドキュメントファイルのページ順序が変更された場合に、上記目次画面に対して、変更後のページ番号を通知する、ドキュメント編集内容通知手段と、
上記編集内容通知手段により通知されたページ番号を基に、目次画面上の見出し欄及びページ番号欄をソートする目次画面ソート手段を備えることを特徴とする請求項１記載のドキュメントファイルの目次編集方法。
【発明の詳細な説明】
【技術分野】
【０００１】
本発明は、タッチパネル操作方式の携帯端末において、画面上でドキュメントファイルの目次画面の編集を行う目次編集方法に関する。
【背景技術】
【０００２】
タッチパネル操作方式の携帯端末は、キーボード、マウス等の外部機器を使用せず、表示画面上を専用のタッチペン、若しくは指で直接選択して操作する。
昨今では、所謂スマートフォンに代表される小型端末から、無線ＬＡＮによる通信機能を有し、インターネット上のページ閲覧、ドキュメントのビューワー、各種ゲーム等の多彩なアプリケーションによってカスタマイズが可能な、ノートサイズのタブレットＰＣまで多種多用な端末が普及しつつある。
【０００３】
タッチパネル操作方式の場合、一般的なノート型ＰＣとは異なり、キーボード、マウス等の外部の操作機器を接続せずに、画面を直接指若しくは専用のタッチペンで選択することによって画面操作を行うため、クリック、ドラッグアンドドロップ等の操作が主となるインターネットページの閲覧、ゲーム画面等の操作には適しているが、テキスト文字入力、図形描画、ドキュメントの編集等の作業は、キーボード、マウス等と比較すると行い難い。
【０００４】
特に、小型の携帯端末の場合、一般的なＰＣと比較して画面が小さいことから、マルチウィンドウ方式によって、複数のウィンドウを表示させた場合には、個々のウィンドウの表示内容が視認し難いことから、マルチウィンドウ方式が採用できない。
従って、一般的なPCにおいては、マルチウィンドウ方式によって、簡単に実現可能な機能が、タッチパネル操作方式においては実現が困難であるという不具合を有していた。
【０００５】
一般的なPCにおいてマルチウィンドウ方式を用いて行うドキュメント編集の一例として、目次作成作業がある。
例えば複数ページのプレゼンテーション資料等のドキュメントが存在し、上記ドキュメントの目次を作成した場合、一般的なPCであれば、目次フォーマットを表示する目次画面と、ドキュメントの構成ページを所定数一括表示しうるページ一覧画面をディスプレイ上にマルチウィンドウを用いて同時に表示し、ページ一覧画面を見ながら、目次画面側にてページ番号を入力することができる。
しかしながら、小型のタッチパネル操作方式の端末の場合、マルチウィンドウに対応していないことから、目次画面とページ一覧画面をディスプレイ上に同時に表示することができない為、一旦、ページ一覧画面を表示させ、ページ番号をメモ等で確認後、目次画面に切り替えて、手入力で目次画面の所定のページ番号欄にページ番号を入力せざるを得なかったため、目次編集作業が非常に煩雑となるという不具合を有していた。
【０００６】
近年、小型携帯端末の高機能化に伴い、簡単なドキュメント編集作業等を携帯端末で行う旨の要望が非常に高まっているにも関わらず、上記不具合に対する現在までに有効な解決手段は実現されていなかった。
【発明の開示】
【発明が解決しようとする課題】
【０００７】
本発明の解決する課題は、表示画面が小さい場合であっても、簡易にドキュメントの目次編集が可能な、タッチパネル操作方式の携帯端末におけるドキュメントファイルの目次編集方法を提供することにある。
【課題を解決するための手段】
【０００８】
上記課題を解決するために、請求項１に記載した発明に係るタッチパネル操作方式の携帯端末におけるドキュメントファイルの目次編集方法は、タッチパネル操作方式の携帯端末におけるドキュメントファイルの目次編集方法であって、
複数の見出し欄と上記見出しに対応するページ番号欄とを一覧形式の目次画面に表示する目次表示手段と、上記ドキュメントファイルの所定数のページを、ページ一覧画面に表示するページ一覧表示手段と、上記目次表示手段で表示された目次画面においてページ番号欄を選択した場合に、上記ページ一覧画面に表示を切り替えるページ一覧画面切替手段と、上記ページ一覧画面において、指若しくはタッチペンによって所定のページを選択した場合に、当該ページのページ番号を保存する選択ページ番号保存手段と、上記選択ページ番号保存手段によりページ番号を保存した後に、表示画面を上記目次画面に切り替える目次画面切替手段と、上記選択ページ番号保存手段により保存された選択ページのページ番号を、目次画面上において選択したページ番号欄に反映するページ番号反映手段を備えることを特徴とする。
【０００９】
従って、目次画面から所定のページ番号欄を選択することによって、自動的にページ一覧画面に切り替わり、且つ、ページ一覧画面において、所定のページを選択することによって、目次画面に自動的に切り替わると共に、目次画面におけるページ番号欄に上記ページ一覧画面において選択したページのページ番号が自動的に反映される。
【００１０】
また、請求項２に記載した発明に係るタッチパネル操作方式の携帯端末におけるドキュメントファイルの目次編集方法は、上記目次画面において、任意の見出し欄を指またはタッチペンによって選択した場合に、選択した見出し欄に所定の文字を入力しうる見出し入力手段を備えることを特徴とする。
【００１１】
上記見出し入力手段としては、例えばソフトキーボードを画面上に表示する方法がある。
上記によって、目次の見出しについては、使用者の意思に従って任意に入力設定することができる。
【００１２】
また、請求項３に記載した発明に係るタッチパネル操作方式の携帯端末におけるドキュメントファイルの目次編集方法は、上記ドキュメントファイルのページ順序が変更された場合に、上記目次画面に対して、変更後のページ番号を通知する、ドキュメント編集内容通知手段と、上記編集内容通知手段により通知されたページ番号を基に、目次画面上の見出し欄及びページ番号欄をソートする目次画面ソート手段を備えることを特徴とする。
【００１３】
従って、携帯端末で当該ドキュメントの編集を行い、ページ順序が変更となった場合であっても、目次画面において再度ページ番号を入力することなく、編集後のドキュメントのページ順序に応じて、ページ番号が自動的に反映され、更に変更されたページ番号に従って、見出し部を含めて目次画面がソートされる。
【発明の効果】
【００１４】
請求項１の発明にあっては、複数の見出し欄と上記見出しに対応するページ番号欄とを一覧形式の目次画面に表示する目次表示手段と、上記ドキュメントファイルの所定数のページを、ページ一覧画面に表示するページ一覧表示手段と、上記目次表示手段で表示された目次画面においてページ番号欄を選択した場合に、上記ページ一覧画面に表示を切り替えるページ一覧画面切替手段と、上記ページ一覧画面において、指若しくはタッチペンによって所定のページを選択した場合に、当該ページのページ番号を保存する選択ページ番号保存手段と、上記選択ページ番号保存手段によりページ番号を保存した後に、表示画面を上記目次画面に切り替える目次画面切替手段と、上記選択ページ番号保存手段により保存された選択ページのページ番号を、目次画面上において選択したページ番号欄に反映するページ番号反映手段を備えることから、目次画面から所定のページ番号欄を選択することによって、自動的にページ一覧画面に切り替わり、且つ、ページ一覧画面において、所定のページを選択することによって、目次画面に自動的に切り替わると共に、目次画面におけるページ番号欄に上記ページ一覧画面において選択したページのページ番号が自動的に反映される。
その結果、表示画面が小さい場合であっても、簡易にドキュメントの目次編集が可能な、タッチパネル操作方式の携帯端末におけるドキュメントファイルの目次編集方法を提供することができる。
【００１５】
また、請求項２の発明にあっては、上記目次画面において、任意の見出し欄を指またはタッチペンによって選択した場合に、選択した見出し欄に所定の文字を入力しうる見出し入力手段を備えることから、目次の見出し部については使用者の意思に従い自由に設定可能であり、目次編集の自由度が高い。
【００１６】
また、請求項３の発明にあっては、上記ドキュメントファイルのページ順序が変更された場合に、上記目次画面に対して、変更後のページ番号を通知する、ドキュメント編集内容通知手段と、上記編集内容通知手段により通知されたページ番号を基に、目次画面上の見出し欄及びページ番号欄をソートする目次画面ソート手段を備えることから、ドキュメント内においてページ入れ替え、削除、追加等が発生した場合であっても、目次画面において、見出し部を含めてソートされるため、目次編集の労力がより軽減される。
【図面の簡単な説明】
【００１７】
【図１】本発明の一実施の形態を示し、実施例の形態におけるタッチパネル操作方式の携帯端末において、ドキュメントの目次編集作業の手順を示す画面遷移図であり、（ａ）は目次画面におけるページ欄の選択操作、（ｂ）はページ一覧画面において所定ページを指で選択する操作、（ｃ）はページ番号反映後の目次画面の画面イメージ、（ｄ）は、見出し入力手段によって目次画面の見出し欄に見出し用の文字を入力する状態の画面イメージ、（ｅ）は、目次画面において、見出し欄に文字が反映された状態の画面イメージを夫々示している。
【図２】本実施例に係るタッチパネル操作方式の携帯端末において、ドキュメントの目次編集作業を行う場合の処理を示すフローチャートである。
【発明を実施するための最良の形態】
【００１８】
本発明を実施するための形態について、目次編集操作を指で行う場合を例に添付図面を用いて以下説明する。
図１（ａ）、図２に示すように、本願は、タッチパネル操作方式の携帯端末１１におけるドキュメントファイル１２（図１（ａ）には図示せず）の目次編集方法１０に係るものであって、複数の見出し欄１３と上記見出しに対応するページ番号欄１４とを一覧形式の目次画面１５に表示する目次表示手段１６と、図１（ｂ）に示すように、上記ドキュメントファイル１２の所定数のページをページ一覧画面１７に表示するページ一覧表示手段１８と、図１（ａ）、図２に示すように、上記目次表示手段１６で表示された目次画面１５においてページ番号欄１４を指２８で選択した場合に、上記ページ一覧画面１７に表示を切り替えるページ一覧画面切替手段１９と、上記ページ一覧画面１７において、指２８によって所定のページを選択した場合に、当該ページのページ番号を保存する選択ページ番号保存手段２０と、上記選択ページ番号保存手段２０によりページ番号を保存した後に、表示画面を上記目次画面１５に切り替える目次画面切替手段２１と、図１(ｃ)、図２に示すように、上記選択ページ番号保存手段２０により保存された選択ページのページ番号を、目次画面１５上において選択したページ番号欄１４に反映するページ番号反映手段２９を備えている。
また、図１（ｄ）、図２に示すように、上記目次画面１５において、任意の見出し欄１３を指２８によって選択した場合に、選択した見出し欄１３に所定の文字を入力しうる見出し入力手段であるソフトキーボード２３を備えている。
また、図２に示すように、上記ドキュメントファイル１２のページ順序が変更された場合に、上記目次画面１５に対して、変更後のページ番号を通知する、ドキュメント編集内容通知手段２４と、上記編集内容通知手段２４により通知されたページ番号を基に、図１（ａ）に示す目次画面１５上の見出し欄１３、及びページ番号欄１４をソートする、目次画面ソート手段２５を備えている。
【実施例１】
【００１９】
本実施例の構成について添付図面を用いて以下説明する。
図１（ａ）から（ｅ）は、スマートフォン等の、タッチパネル操作方式の小型の携帯端末において、ドキュメントファイル１２の目次編集作業方法１０の手順を示す画面遷移図である。
本実施例においては、新規の目次画面１５において、上記ドキュメントファイル１２の３ページ目１２ｃを見出し名「目次１」として目次を作成する場合を例として説明する。
【００２０】
図１（ａ）は目次画面１５のフォーマットを示す図である。
図１（ａ）に示すように、目次画面１５には、１３文字分の見出し欄１３と上記見出し欄１３に対応する３文字分のページ番号欄１４が１２行分表示されている。
なお、上記見出し欄１３の文字数及びページ番号欄１４の文字数、及び夫々の行数については、目次編集の対象となるドキュメントファイル１２のページ数等に合わせて、適宜変更することができる。
【００２１】
また、図１（ｂ）はページ一覧画面１７の画面フォーマットである。
図１（ｂ）に示すように、上記ページ一覧画面１７には、ドキュメントファイル１２の１ページ目１２ａ、及び２ページ目１２ｂが上段に、３ページ目１２ｃ、及び４ページ目１２ｄが下段に表示されている。
また、上記ページ一覧画面の上下方向略中央部の左右両端部には、スクロール手段２２のスクロールシンボル２２ａ、２２ｂが表示されている。
上記スクロールシンボル２２ａ、２２ｂは、スクロール先のページが存在する場合には選択可能な状態に表示され、スクロール先のページが存在しない場合には、選択付加となるように透過表示されている。
図１（ｂ）においては、上記ドキュメントファイル１２の先頭ページ、即ち１ページ目１２ａから表示されていることから、前ページは存在しないため、上記スクロールシンボル２２ａは選択不可の透過表示となっている。
【００２２】
また、図１（ｄ）は、目次画面１５において、ソフトキーボード２３を表示した状態の画面フォーマットである。
図１（ｄ）に示すように、ソフトキーボード２３は、上記目次画面の下側半部に表示され、９個の文字入力用ボタン部２３ａと、各種操作項目を実現する操作ボタン部２３ｂ、２３ｃとから形成されている。
また、ソフトキーボード２３の上端部には入力中の文字を表示する入力窓部２６が設けられ、上記入力窓部２６の一端部には入力結果を反映する入力内容決定ボタン２７が配設されている。
なお、本実施例で示したソフトキーボード２３の形態は一例であり、画面の大きさ等、入力項目等に従って、適宜形態変更が可能である。
【００２３】
本実施例において、目次画面１５にページ番号を反映する際の操作について添付図面を用いて説明する。
図１（ａ）、(ｂ)、及び図２に示すように、目次表示手段１６によって表示された、目次画面１５において、任意のページ番号欄１４を指２８で選択することにより、ページ一覧画面切替手段１９が動作して、ページ一覧画面１７に表示を切り替える。
図１（ｂ）に示すように、ページ一覧画面１７において、ページ番号を反映させるページとして３ページ目１２ｃを指２８で選択することによって、図２に示すように、選択ページ番号保存手段２０は、選択した３ページ目のページ番号「３」を保存し、更に目次画面切替手段２１によって、表示画面が目次画面１５に切り替わる。
【００２４】
目次画面１５に切り替わる際に、図２に示す、ページ番号反映手段２９によって、上記選択ページ番号保存手段２０が保存したページ番号「３」を読み出され、上記目次画面１５において選択されたページ番号欄１４に、ページ番号「３」が反映される。
【００２５】
また、見出し欄１３に見出しを入力する場合には、図１（ｃ）に示すように、任意の見出し欄１３を指２８で選択することによって、図１（ｄ）に示すように、ソフトキーボード２３が表示されると共に、上記ソフトキーボード２３の上端部に入力窓部２６と、入力内容決定ボタン２７が表示される。
【００２６】
図１（ｄ）に示すように、上記ソフトキーボード２３から任意の文字列を入力し、上記入力内容決定ボタン２７を指２８で選択することにより、図２に示す、目次画面切替手段２１によって、目次画面１５に表示が切り替わり、図１（ｅ）に示すように、選択した見出し欄１３に、上記ソフトキーボード２３から入力された文字列「目次１」が反映される。
【００２７】
また、ドキュメントファイル１２のページを編集した場合の動作について、上記ページ一覧画面１７において、ドラッグアンドドロップ操作によって、ページ順序を入れ替える操作を行った場合を例に、添付図面を用いて説明する。
図１（ｂ）に示す、ページ一覧画面１７において、任意のページを指２８で選択後、所定の位置にドラッグさせて、ドロップすることによって、上記ドキュメントファイル１２のページ順序が入れ替わった場合は、図２に示すように、ドキュメント編集内容通知手段２４によって、選択ページのページ番号及び、移動後の新たなページ番号等の編集内容が目次画面ソート手段２５に通知される。
上記目次画面ソート手段２５は、上記ドキュメント編集内容通知手段２４によって通知された編集後のページ番号を基に、目次をソートし、更に目次画面切替手段２１によって、ソート後の状態で、目次画面１５を表示する。
【００２８】
本実施例の構成に拠れば、タッチパネル操作方式の小型の携帯端末であっても、ドキュメントファイルの目次編集を容易に行うことができる。
また、ドキュメントが編集され、ページ番号が入れ替わった場合においても、目次画面を手動で再編集する必要が無いことから、ドキュメント編集、及び目次編集作業の効率が向上する。
【００２９】
なお、ドキュメントファイルの編集方法については、本実施例で示した、ドラッグアンドドロップ方式によるページ入れ替え操作のほか、ページ削除、新規ページ挿入等の編集作業であっても、本実施例と同様の作用効果を得ることが可能である。
また、本実施例のページ入れ替えの具体的操作内容は、一例であり操作順序、手順等に制約はない。
【００３０】
なお、本実施例の画面デザインについては、画面全体のデザイン、スクロールシンボルの形状、色彩等を適宜変更しても、本実施例と同様の作用効果を得ることができる。
また、一画面に表示可能なドキュメントのページ数については、使用する携帯端末の画面の大きさ等によって、視認可能な範囲であれば適宜変更することができる。
更に、携帯端末の種類についても、タッチパネル操作方式である旨の限定以外には特に限定されない。
【産業上の利用可能性】
【００３１】
本発明は、タッチパネル操作方式の携帯端末において、画面上でドキュメントファイルの目次画面の編集を行う目次編集方法に適用可能である。
【符号の説明】
【００３２】
１０  ドキュメントファイルの目次編集方法
１１  携帯端末
１２  ドキュメントファイル
１２ａドキュメントファイル１ページ目
１２ｂドキュメントファイル２ページ目
１２ｃドキュメントファイル３ページ目
１２ｄドキュメントファイル４ページ目
１３  見出し欄
１４  ページ番号欄
１５  目次画面
１６  目次表示手段
１７  ページ一覧画面
１８  ページ一覧表示手段
１９  ページ一覧画面切替手段
２０  選択ページ番号保存手段
２１  目次画面切替手段
２２  スクロール手段
２２ａスクロールシンボル
２２ｂスクロールシンボル
２３  ソフトキーボード
２３ａ文字入力用ボタン部
２３ｂ操作ボタン部
２３ｃ操作ボタン部
２４  ドキュメント編集内容通知手段
２５  目次画面ソート手段
２６  入力窓部
２７  入力内容決定ボタン
２８  指
２９  ページ番号反映手段
【図１】
2012063861.tif 000003
【図２】
2012063861.tif 000004